(57)【要約】【課題】  当たり権利発生時に開閉する電動開閉式入賞口を予め設定せずに権利発生時にその都度決定し、開閉すべき電動開閉式入賞口を或る条件下で報知し得る遊技機を提供する。【解決手段】  パチンコ機１は、相互に離間して配置された電動チューリップ１６，１７と、当たり抽選での当選に応じて電動チューリップ１６，１７のうちの何れを開放させるか、及び開放させるべき電動チューリップをその開放動作に先立って報知するか否かを決定する抽選手段２５及び連荘抽選手段２７と、抽選手段２５，２７による決定に応じて、電動チューリップ１６，１７の何れかを開放させる開放動作、及び当該開放動作に先立って報知する報知動作を選択的に実行するチューリップ作動制御手段２８及び報知制御手段３１とを備える。【選択図】      図２
2006055425.tif 000002
【特許請求の範囲】
【請求項１】
遊技領域に、当たり抽選の結果を報知する図柄表示装置と、前記当たり抽選実行の契機となり得る入球が行われる始動入球口と、前記当たり抽選に当選した際に開放する第１電動開閉式入賞口と、該第１電動開閉式入賞口への第１の所定数を満たす入賞に伴う抽選に従って開放し得る第２電動開閉式入賞口と、該第２電動開閉式入賞口への第２の所定数を満たす入賞に伴う抽選に従って開放し得る第３電動開閉式入賞口とを備えた遊技機であって、
前記第１電動開閉式入賞口が、前記遊技領域にて相互に離間して配置された少なくとも２つの入賞口から構成され、かつ、
前記当たり抽選での当選に応じて前記少なくとも２つの入賞口のうちの何れを開放させるか、及び当該開放させるべき入賞口をその開放動作に先立って報知するか否かを決定する開放報知決定手段と、
前記開放報知決定手段による決定に応じて、前記入賞口の何れかを開放させる開放動作、及び当該開放動作に先立って報知する報知動作を選択的に実行する制御手段とを備える、
ことを特徴とする遊技機。
【請求項２】
前記開放報知決定手段が、前記始動入球口への入賞に伴って連荘モード抽選及び単発大当たり抽選を行うと共に、該連荘モード抽選で当選した場合更に連荘継続抽選を行う連荘抽選手段を備え、
前記制御手段が、前記連荘継続抽選の結果に伴い前記図柄表示装置に表示される装飾図柄の種別に応じて前記開放動作及び前記報知動作を選択的に実行する、
ことを特徴とする請求項１に記載の遊技機。
【請求項３】
前記制御手段は、
前記図柄表示装置に表示すべき装飾図柄が第１の図柄である場合に、前記入賞口の何れかを第１の所定時間開放させ且つ当該開放動作に先立って報知するように制御し、
前記図柄表示装置に表示すべき装飾図柄が第２の図柄である場合に、前記入賞口の何れかを第２の所定時間開放させるように制御し、
前記図柄表示装置に表示すべき装飾図柄が第３の図柄である場合に、前記入賞口のうちの予め決められた側を、前記第１及び第２の所定時間より短い第３の所定時間開放させるように制御してなる、
ことを特徴とする請求項２に記載の遊技機。
【請求項４】
前記第１の図柄は、前記連荘継続抽選に当選した場合に表示され、
前記第２の図柄は、前記連荘継続抽選に外れた場合又は前記単発大当たり抽選に当選した場合に表示され、
前記第３の図柄は、前記連荘モード抽選に外れ且つ前記単発大当たり抽選に外れた場合に表示される、
ことを特徴とする請求項２又は３に記載の遊技機。
【発明の詳細な説明】
【技術分野】
【０００１】
本発明は、一般電役に類別されるパチンコ機等の遊技機に関し、詳しくは、遊技時のアシスト機能を備えて遊技の興趣を高めるように構成した遊技機に関する。
【背景技術】
【０００２】
従来、当たり抽選の結果を報知する図柄表示装置と、当たり抽選実行の契機となり得る入球が行われる始動ゲートと、該始動ゲートへの遊技球通過に基づく抽選に伴って図柄表示装置上で図柄を可変表示し、当該抽選に当選して停止表示図柄が特定の図柄であった場合に当たり権利発生となって開放する第１電動チューリップと、当該開放した第１電動チューリップへの所定数以上の入賞があったとき開放する第２電動チューリップと、当該開放した第２電動チューリップへの所定数以上の入賞があったとき開放する大入賞口（以下「アタッカー」とも言う）とを遊技領域に具備する一般電役と呼ばれるパチンコ機が存在する（例えば、特許文献１参照）。
【０００３】
このようなパチンコ機では、始動ゲートへの入球に伴う当たり当選に順次連動して開放する各入賞口に入賞させることにより出玉を獲得するように構成されており、大当たり中においても図柄表示装置での図柄変動を行って、当該大当たり中に次なる大当たりを更に抽選することができる。
【０００４】
【特許文献１】特開２００３−０００８１７号公報
【発明の開示】
【発明が解決しようとする課題】
【０００５】
しかしながら、上記特許文献１に記載されたパチンコ機を始めとする一般電役にあっては、図柄表示装置に特定の図柄が表示された場合に、複数ある電動チューリップ等の入賞口のうちで、予め定められた入賞口が必ず開放するように構成されているため、当たり権利発生時の遊技が単調となって、興趣に欠けるような問題があった。
【０００６】
そこで本発明は、複数の電動開閉式入賞口のうちで当たり権利発生時に開閉動作するものを予め設定せずに当該権利発生時にその都度決定するように構成すると共に、当該決定に応じて開閉動作することになった電動開閉式入賞口を、或る条件下で報知するように構成し、もって上述した課題を解決した遊技機を提供することを目的とするものである。
【課題を解決するための手段】
【０００７】
請求項１に係る本発明は（例えば図１ないし図５参照）、遊技領域（７ａ）に、当たり抽選の結果を報知する図柄表示装置（１０）と、前記当たり抽選実行の契機となり得る入球が行われる始動入球口（１１）と、前記当たり抽選に当選した際に開放する第１電動開閉式入賞口（１６又は１７）と、該第１電動開閉式入賞口（１６又は１７）への第１の所定数（例えば５個）を満たす入賞に伴う抽選に従って開放し得る第２電動開閉式入賞口（１２）と、該第２電動開閉式入賞口（１２）への第２の所定数（例えば１０個）を満たす入賞に伴う抽選に従って開放し得る第３電動開閉式入賞口（３４）とを備えた遊技機（１）であって、
前記第１電動開閉式入賞口が、前記遊技領域（７ａ）にて相互に離間して配置された少なくとも２つの入賞口（１６，１７）から構成され、かつ、
前記当たり抽選での当選に応じて前記少なくとも２つの入賞口（１６，１７）のうちの何れを開放させるか、及び当該開放させるべき入賞口（１６又は１７）をその開放動作に先立って報知するか否かを決定する開放報知決定手段（２５，２７）と、
前記開放報知決定手段（２５，２７）による決定に応じて、前記入賞口（１６，１７）の何れかを開放させる開放動作、及び当該開放動作に先立って報知する報知動作を選択的に実行する制御手段（２８，３１）とを備える、
ことを特徴とする遊技機（１）にある。
【０００８】
なお、本発明における上記「入賞」は、賞球を伴った入球を意味する概念であるが、上記「入球」は、少なくとも遊技球が入球することを意味し、「賞球を伴わない入球」とともに「賞球を伴った入球（入賞）」をも含む概念である。また、本発明における上記「始動入球口」は、スルーゲート状のものも含む概念である。
【０００９】
請求項２に係る本発明は（例えば図１ないし図５参照）、前記開放報知決定手段（２５，２７）が、前記始動入球口（１１）への入賞に伴って連荘モード抽選及び単発大当たり抽選を行うと共に、該連荘モード抽選で当選した場合更に連荘継続抽選を行う連荘抽選手段（２７）を備え、
前記制御手段（２８，３１）が、前記連荘継続抽選の結果に伴い前記図柄表示装置（１０）に表示される装飾図柄の種別に応じて前記開放動作及び前記報知動作を選択的に実行する、
ことを特徴とする請求項１に記載の遊技機（１）にある。
【００１０】
請求項３に係る本発明は（例えば図１ないし図５参照）、前記制御手段（２８，３１）が、
前記図柄表示装置（１０）に表示すべき装飾図柄が第１の図柄（例えば「７７７」）である場合に、前記入賞口（１６，１７）の何れかを第１の所定時間（例えば３．０秒）開放させ且つ当該開放動作に先立って報知するように制御し、
前記図柄表示装置（１０）に表示すべき装飾図柄が第２の図柄（例えば「６６６」）である場合に、前記入賞口（１６，１７）の何れかを第２の所定時間（例えば３．０秒）開放させるように制御し、
前記図柄表示装置（１０）に表示すべき装飾図柄が第３の図柄（例えば「チェリー図柄」）である場合に、前記入賞口（１６，１７）のうちの予め決められた側を、前記第１及び第２の所定時間より短い第３の所定時間（例えば０．１秒）開放させるように制御してなる、
ことを特徴とする請求項２に記載の遊技機（１）にある。
【００１１】
請求項４に係る本発明は（例えば図１ないし図４参照）、前記第１の図柄（例えば「７７７」）は、前記連荘継続抽選に当選した場合に表示され、
前記第２の図柄（例えば「６６６」）は、前記連荘継続抽選に外れた場合又は前記単発大当たり抽選に当選した場合に表示され、
前記第３の図柄（例えば「チェリー図柄」）は、前記連荘モード抽選に外れ且つ前記単発大当たり抽選に外れた場合に表示される、
ことを特徴とする請求項２又は３に記載の遊技機（１）にある。
【００１２】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１３】
請求項１に係る本発明によると、第１電動開閉式入賞口が、遊技領域にて相互に離間して配置された少なくとも２つの入賞口から構成され、開放報知決定手段が、当たり抽選での当選に応じて少なくとも２つの入賞口のうちの何れを開放させるか、及び当該開放させるべき入賞口をその開放動作に先立って報知するか否かを決定し、制御手段が、開放報知決定手段による決定に応じて、入賞口の何れかを開放させる開放動作、及び当該開放動作に先立って報知する報知動作を選択的に実行するので、遊技者はどちらの入賞口を狙えば当たり権利発生に伴う当たりを確実に獲得できるかを報知によって容易に認識することができ、従って、当たりを獲得できる側の電動開閉式入賞口に遊技球を効率良く入賞させることで、遊技者の遊技への参加意識及び遊技の興趣を高めて遊技性を向上させることができる。
【００１４】
請求項２に係る本発明によると、開放報知決定手段が、始動入球口への入賞に伴って連荘モード抽選及び単発大当たり抽選を行うと共に、該連荘モード抽選で当選した場合更に連荘継続抽選を行う連荘抽選手段を備え、制御手段が、連荘継続抽選の結果に伴い図柄表示装置に表示される装飾図柄の種別に応じて開放動作及び報知動作を選択的に実行するので、遊技者は図柄表示装置に表示される装飾図柄の違いで、連荘が確定しているか否かを認識できると共に、確定していない場合には次なる連荘継続抽選の結果に期待を寄せつつ遊技を進行させることができる。
【００１５】
請求項３に係る本発明によると、制御手段が、装飾図柄が第１の図柄である場合に入賞口の何れかを第１の所定時間開放させ且つ当該開放動作に先立って報知するように制御し、装飾図柄が第２の図柄である場合に入賞口の何れかを第２の所定時間開放させるように制御し、装飾図柄が第３の図柄である場合に入賞口のうちの予め決められた側を、第１及び第２の所定時間より短い第３の所定時間開放させるように制御するので、図柄表示装置に表示される装飾図柄の違いによって入賞口の報知や開放時間に差をつけて、興趣を高めることができる。
【００１６】
請求項４に係る本発明によると、連荘継続抽選に当選した場合に第１の図柄が表示され、連荘継続抽選に外れた場合又は抽選手段による単発大当たり抽選に当選した場合に第２の図柄が表示され、連荘抽選手段による連荘モード抽選に外れ、且つ抽選手段によって行われる単発大当たり抽選に外れた場合に第３の図柄が表示されるので、遊技者は図柄表示装置に表示される装飾図柄の違いで、その後の遊技の展開を認識することができ、これにより、遊技への期待感と共に興趣を高めて、遊技性を向上させることができる。
【発明を実施するための最良の形態】
【００１７】
以下、本発明に係る遊技機の実施形態として、遊技場等に設置される一般電役としてのパチンコ機について図１ないし図５に沿って説明する。なお、以下に、第１左及び第１右電動開閉式チューリップ１６，１７、第２電動開閉式チューリップ１２や大入賞口３４への入賞数、或いは、これらチューリップ１６，１７，１２や大入賞口３４の各開放時間等に関して具体的な数値を挙げて説明するが、その数値はあくまで一例であってこれらに限定されるものではなく、設計に応じて種々変更され得るものである。
【００１８】
図１は本実施形態におけるパチンコ機の外部構造を概略的に示す正面図、図２は本実施形態における制御系を示すブロック図、図３及び図４は本実施形態の作用を説明するためのフローチャート、図５は本実施形態における図柄表示を模式的に示す図であり、同図（ａ）は左打ち及び右打ちを同時に表示する非アシスト時の表示状態を示し、同図（ｂ）は左打ちを表示するアシスト時の状態を示し、同図（ｃ）は右打ちを表示するアシスト時の状態を示している。
【００１９】
本実施形態のパチンコ機１は、発射ハンドル９の操作による発射装置（図示せず）の作動で遊技球を遊技領域７ａに打ち出しつつ遊技を行うもので、普通図柄の抽選での当選後、第１電動開閉式入賞口としての第１左及び第１右電動開閉式チューリップ（以下、単に「電動チューリップ」とも言う）１６，１７の何れか一方を開放させ、その所定数以上の入賞に連動して開放する第２電動開閉式入賞口としての第２電動開閉式チューリップ（以下、単に「電動チューリップ」とも言う）１２への所定数以上の入賞に連動して第３電動開閉式入賞口としての大入賞口（アタッカーとも呼ばれる）３４を開放させ、この大入賞口３４への入賞に対応する賞球を遊技者に獲得させるように構成されている。
【００２０】
本パチンコ機１は、図１に示すように、筐体２と、ヒンジ２６ａ，２６ｂにより筐体２に開閉可能に装着された前扉３とを備えており、前扉３の前面には、透明ガラス６を有するガラス枠５が開閉可能に取付けられている。透明ガラス６の奥側には、遊技領域７ａを有する遊技盤７が配置されている。前扉３における遊技領域７ａの左右上部には演出用照明装置２３が配置されており、前扉３における下部には、スピーカ（図示せず）を有する放音装置８が配置されている。また、ガラス枠５における中央部右方には、前扉３を筐体２側に施錠・解放するための施錠装置４が配置されている。
【００２１】
前扉３の上下方向略中央部には上皿１３が設けられており、上皿１３の下方には下皿１５が設けられている。上皿１３における左上部には、賞球及び貸球を含む遊技球が供給される球供給口１８が設けられている。下皿１５には、上皿１３側からの遊技球を球収容部１５ａに排出するための球排出口１９が開口して設けられている。上皿１３の下部前方には、球収容部１５ａ内の遊技球を下皿１５下方に排出するための球排出レバー２０が設けられている。また、前扉３における皿ユニット１３の右側下方には、球発射装置を操作して遊技球を遊技領域７ａに向けて打ち出すための発射ハンドル９が設けられている。更に、下皿１５における左方には灰皿２４が配置されている。
【００２２】
遊技領域７ａのほぼ中央部分には、液晶等からなる図柄表示装置１０が配置されており、図柄表示装置１０の下部中央部分には、内部に普通図柄始動スイッチ（図示せず）を有する始動入賞口１１が第２電動チューリップ１２の直ぐ上方に位置して設けられている。始動入賞口１１では入賞が普通図柄始動スイッチによって検知され、該検知に応答して抽選が行われた後、単発大当たり抽選、連荘モード抽選、連荘継続抽選が選択的に行われ、それらの結果に応じた装飾図柄が図柄表示装置１０に表示されることとなる。始動入賞口１１は、底部（図１の下側）が第２電動チューリップ１２に対して閉塞された形で遊技盤７の裏面側に連通するように形成され、入球した遊技球を普通図柄始動スイッチで検知すると共に遊技盤７裏面側に排出するように構成されている。
【００２３】
また、遊技領域７ａにおける始動入賞口１１の左右やや上方には、外面に報知ランプ１６ａ，１７ａを夫々備えた第１左電動チューリップ１６及び第１右電動チューリップ１７が配置されている。図１に示すように、電動チューリップ１６，１７夫々の上部には、これらチューリップ１６，１７の閉止時における入球を阻止するための複数本（本実施形態では一例として３本を図示）の障害釘２５が打ち込まれている。これにより、第１左及び第１右電動チューリップ１６，１７の双方は、開放状態では入賞を許容するものの、閉止状態では各上部を障害釘２５にて塞がれて入賞し得ない形となるように構成される。
【００２４】
第１左及び第１右電動チューリップ１６，１７は、始動入賞口１１への入賞に基づく抽選で当選した場合、単発大当たり抽選、連荘モード抽選、連荘継続抽選が選択的に行われ、それらの結果に応じて、一方が３．０秒又は０．１秒だけ開放するように構成されている。詳細は後述するが、この開放時に入賞した５個以上の遊技球のうちの４個に対する連荘継続抽選が行われ、連荘モード抽選を継続させるか否かを抽選する。
【００２５】
また、始動入賞口１１の直ぐ下方には第２電動チューリップ１２が配置されており、該チューリップ１２は、上述のように図１に示す閉止状態にてその上部を始動入賞口１１で塞がれることにより、当該閉止状態では入賞されず、開放状態でのみ入賞が可能となるように構成されている。この第２電動チューリップ１２は、電動チューリップ１６，１７のうちの開放した一方に５個以上の入球があった際に開放され、その開放状態で１０個の遊技球の入球があった時点で閉止するように制御される。そして、入球したこれら遊技球のうちの４個は、次なる連荘継続抽選のために保留処理される。
【００２６】
第２電動チューリップ１２の下方には、大入賞口３４が開閉可能に配置されている。この大入賞口３４は、第２電動チューリップ１２への入球に連動して、最大で１０個の入球が終了するまで又は６．０秒間が経過するまで開放することにより、入球する１０個の遊技球の各１個に対して１０個ずつの賞球を行うように制御される。この賞球で払い出される遊技球は、球供給口１８から上皿１３に放出される。
【００２７】
以上のような構成を有する本パチンコ機１は、以下のような特徴を備えている。つまり、従来の一般電役タイプのパチンコ機にあっては、普通図柄抽選での当選に連動して、左右何れか決められた側の電動チューリップを単に開放させるだけの遊技性を備えていたのに対し、本実施形態のパチンコ機１にあっては、普通図柄抽選での当選に連動して以下のような制御を実施する点で大きく異なる。
【００２８】
すなわち、本実施形態のパチンコ機１では、
(1)普通図柄当たり発生後の連荘継続抽選の結果として装飾図柄が青色の奇数図柄「７７７」に決定された場合に、第１左及び第１右電動チューリップ１６，１７のうちのどちらを３秒間開放させるかに関するアシストを行う態様、つまり、報知ランプ１６ａ又は１７ａの発光駆動と「右打ち」又は「左打ち」のメッセージの表示とによって、当たり権利の獲得のために最初に狙えば良い電動チューリップを遊技者に報知する第１態様と、
(2)普通図柄当たり発生後の連荘継続抽選の結果として装飾図柄が赤色の偶数図柄「６６６」に決定された場合、又は普通図柄当たり発生後に行われる単発大当たり抽選の結果として装飾図柄が上記「６６６」に決定された場合に、第１左及び第１右電動チューリップ１６，１７のうちのどちらを３秒間開放させるかに関するアシストを行わない態様、つまり、報知ランプ１６ａ，１７ａの発光は行わず且つ「右打ち」及び「左打ち」のメッセージ双方を図柄表示装置１０に同時に表示することで、当たり権利の獲得のために最初に狙えば良い電動チューリップを実質的に報知しない第２態様と、
(3)普通図柄当たり発生後に行われる単発大当たり抽選で外れた結果、装飾図柄が「チェリー図柄」に決定された場合に、メッセージを図柄表示装置１０に何も表示せず、予め決められた側の第１右電動チューリップ１７を極めて短い０．１秒間のみ開放させる第３態様とが実施される。
【００２９】
以上のように、本実施の形態では、上述した第１ないし第３の各態様が適時使い分けられることにより、遊技領域中央部分の始動入賞口１１への入球を契機とする抽選での普通図柄当たりに応じて、図柄表示装置１０上の表示図柄を変動させ、３個の図柄を例えば「７７７」や「６６６」として揃えることに従って、第１左及び第１右電動チューリップ１６，１７の何れか一方を所定秒間だけ開放させ、当該開放した一方の電動チューリップへの入賞に応じて遊技領域中央部分の第２電動チューリップ１２を所定秒間開放させ、当該開放した第２電動チューリップ１２への所定数の入賞に対応した賞球を行うように遊技を進行させることができる。これにより、遊技者の遊技への参加意識及び遊技の興趣を向上させている。
【００３０】
本実施形態では更に、例えば「３-２-１」のような特定の図柄並びを図柄表示装置１０に頻繁に表示させることにより、連荘モード抽選での当選結果が潜伏しているのではないかという期待感を遊技者に持たせることができるように構成される。
【００３１】
次に、本実施形態におけるパチンコ機１の制御系について図２を参照して説明する。すなわち、本パチンコ機１は、パチンコ機１の作動を統括的に制御する遊技制御装置１４を備えており、該遊技制御装置１４には、電動チューリップ作動装置３９、大入賞口ユニット３３、図柄表示装置１０、報知ランプ１６ａ，１７ａ、演出用照明装置２３及び放音装置８が電気的に接続されている。
【００３２】
遊技制御装置１４は、入球・入賞判定装置２１、入球・入賞信号出力手段２２、抽選手段２５、連荘抽選手段２７、判定手段４０、図柄表示制御手段３０、報知制御手段３１、チューリップ作動制御手段２８、大入賞口作動制御手段２９及び演出制御手段３２を備えている。
【００３３】
入球・入賞判定装置２１は、始動入賞口１１、第１左及び第１右電動チューリップ１６，１７、第２電動チューリップ１２及び大入賞口３４に夫々対応して設けられた検知センサ（図示せず）による球検知信号に基づいて、入球や入賞があった旨の判定を行う。なお、本実施形態における「入賞」は、賞球を伴った入球を意味する概念であるが、「入球」は、少なくとも遊技球が入球することを意味し、「賞球を伴わない入球」とともに「賞球を伴った入球（入賞）」をも含む概念である。また、本発明の始動入球口としての始動入賞口１１は、その配置によっては単に遊技球を通過させるスルーゲートとして構成することも可能である。
【００３４】
入球・入賞信号出力手段２２は、入球・入賞判定装置２１において入球や入賞があった旨の判定があった際、その旨を示す入球信号又は入賞信号を出力する。当該入球・入賞信号出力手段２２は、始動入賞口１１への入賞があった際、該始動入賞口１１に設けられた普通図柄始動スイッチがオンした旨の信号も入賞信号と同時に出力する。
【００３５】
抽選手段２５は、普通図柄始動スイッチがオンした旨の信号を入球・入賞信号出力手段２２から受けた際に普通図柄当たりの抽選を実行し、その後の判定手段４０による連荘モード中か否かの判定（図３のステップＳ４参照）の結果、連荘モード中でない場合に、単発大当たり抽選を実行する。更に抽選手段２５は、連荘抽選手段２７による連荘継続抽選が実行された後、電動チューリップ１６，１７のうち何れを開放させるかを抽選によって決定し、その旨の指令を報知制御手段３１とチューリップ作動制御手段２８とに送信する。
【００３６】
連荘抽選手段２７は、連荘モード中か否かの判定の結果、連荘モード中である場合に、連荘モードを継続させるための連荘継続抽選を実行する。連荘抽選手段２７は更に、上記単発大当たり抽選の結果に応じて図柄表示装置１０にチェリー図柄が装飾図柄として表示された際、当該表示に後続して連荘モード抽選を実行し、また上記単発大当たり抽選や上記連荘継続抽選の結果に応じて図柄表示装置１０に「６６６」が表示された際、当該表示に後続して連荘モード抽選を実行する。
【００３７】
上述した抽選手段２５及び連荘抽選手段２７により、当たり抽選での当選に応じて２つの電動チューリップ１６，１７のうちの何れを開放させるか、及び当該開放させるべき電動チューリップ１６又は１７をその開放動作に先立って報知するか否かを決定する開放報知決定手段が構成されている。
【００３８】
判定手段４０は、抽選手段２５による普通図柄当たりに当選したか否かを判定すると共に、当選した際（図３のステップＳ３参照）、その時点が連荘モード中か否かを判定する。また判定手段４０は、抽選手段２５によって行われた単発大当たり抽選の結果、及び連荘抽選手段２７によって行われた連荘継続抽選の結果を夫々に判定する。
【００３９】
図柄表示制御手段３０は、抽選手段２５による単発大当たり抽選や連荘抽選手段２７による連荘継続抽選の結果を受けて、当該結果に対応する装飾図柄である「７７７」、「６６６」やチェリー図柄を図柄表示装置１０に表示すると共に、当該装飾図柄の表示後に、「右打ち」、「左打ち」のメッセージを、表示された装飾図柄に対応して表示するように制御する。
【００４０】
報知制御手段３１は、図柄表示装置１０に青色の奇数図柄「７７７」が表示された後、上記図柄表示制御手段３０によるメッセージの表示にタイミングを合わせて、電動チューリップ１６，１７のうちの何れの電動チューリップを狙えば確実に当たり権利を獲得できるのかを、連荘抽選手段２７での抽選結果及び抽選手段２５での抽選結果に応じて報知するべく、報知ランプ１６ａ，１７ａの対応する側に駆動信号を出力して発光（点灯及び／又は点滅）させる。報知制御手段３１は、図柄表示装置１０に赤色の偶数図柄「６６６」やチェリー図柄が表示された際には、報知ランプ１６ａ，１７ａによるアシスト表示は行わない。
【００４１】
チューリップ作動制御手段２８は、図柄表示装置１０に表示される装飾図柄の種別に応じて、電動チューリップ１６，１７の何れか一方を３．０秒又は０．１秒経過するまで開放するべく、連荘抽選手段２７での抽選結果及び抽選手段２５での抽選結果に応じて、第１左電動チューリップ開閉ソレノイド１６ｂ又は第１右電動チューリップ開閉ソレノイド１７ｂの何れかに駆動信号を出力する。チューリップ作動制御手段２８は更に、電動チューリップ１６，１７の開放した一方への５個を満たす入賞を契機として、第２電動チューリップ１２を６．０秒が経過するまで開放するように、第２電動チューリップ開閉ソレノイド１２ｂに駆動信号を出力する。
【００４２】
なお、上記チューリップ作動制御手段２８及び報知制御手段３１により、上記開放報知決定手段による決定に応じて、電動チューリップ１６，１７の何れかを開放させる開放動作、及び当該開放動作に先立って報知する報知動作を選択的に実行する制御手段が構成されている。
【００４３】
大入賞口作動制御手段２９は、チューリップ作動制御手段２８によって開放された第２電動チューリップ１２への最大で１０個の入賞に後続して、大入賞口３４を、最大で１０個の入球が終了するまで又は６．０秒間が経過するまで開放するように、通常領域入賞検出センサ３７からの検出信号に基づいて、大入賞口ユニット３３の大入賞口開閉ソレノイド３８に駆動信号を出力する。そして、入球する１０個の遊技球の各１個に対して１０個ずつの賞球を行うように制御する。大入賞口作動制御手段２９は、大入賞口ユニット３３のセンサ部３５における通常領域入賞検出センサ３７への入賞に基づいて入賞数を判定する。
【００４４】
演出制御手段３２は、演出用照明装置２３及び放音装置８を適時駆動して発光駆動、放音駆動させることにより、遊技者の視覚及び聴覚に訴える演出表示を行う。
【００４５】
そして電動チューリップ作動装置３９は、チューリップ作動制御手段２８から送られた駆動信号に応答して夫々に作動する第１左電動チューリップ開閉ソレノイド１６ｂ、第１右電動チューリップ開閉ソレノイド１７ｂ、及び第２電動チューリップ開閉ソレノイド１２ｂを備えている。
【００４６】
第１左電動チューリップ開閉ソレノイド１６ｂは、チューリップ作動制御手段２８からの駆動信号に応答して、第１左電動開閉式チューリップ１６を開閉動作させるべく作動する。
【００４７】
第１右電動チューリップ開閉ソレノイド１７ｂは、チューリップ作動制御手段２８からの駆動信号に応答して、第１右電動開閉式チューリップ１７を開閉動作させるべく作動する。
【００４８】
第２電動チューリップ開閉ソレノイド１２ｂは、チューリップ作動制御手段２８からの駆動信号に応答して、第２電動開閉式チューリップ１２を開閉動作させるべく作動する。
【００４９】
大入賞口ユニット３３は、通常領域入賞検出センサ３７及び大入賞口開閉ソレノイド３８を備えている。
【００５０】
通常領域入賞検出センサ３７は、遊技球の所定入賞数を検出し、その検出信号を大入賞口作動制御手段２９に送るためのセンサである。
【００５１】
大入賞口開閉ソレノイド３８は、通常領域入賞検出センサ３７からの検出信号に基づいて大入賞口作動制御手段２９から送信される駆動信号に応答して作動し、大入賞口３４を開閉作動させる。
【００５２】
また図柄表示装置１０は、図柄表示制御手段３０からの信号に応答して、装飾図柄として赤色の偶数図柄「６６６」、青色の奇数図柄「７７７」、或いはチェリー図柄を表示するように作動する。
【００５３】
報知ランプ１６ａ，１７ａは、電動チューリップ１６，１７の何れかを狙えるように、報知制御手段３１からの信号に応答して発光駆動して遊技者にアシストする。
【００５４】
演出用照明装置２３及び放音装置８は、演出制御手段３２からの信号に応答して発光駆動、放音駆動させられて、遊技者の視覚及び聴覚に訴える演出表示を実施する。
【００５５】
ついで、本実施形態におけるパチンコ機１の作用に関して図３及び図４のフローチャートに沿って説明する。
【００５６】
すなわち、図３に示す処理が開始されると、まずステップＳ１において、始動入賞口１１への入賞の有無、つまり普通図柄始動スイッチのオンの有無が判定され、該スイッチがオンされない間はステップＳ１の判定処理が繰り返される。そして、ステップＳ１にて普通図柄始動スイッチがオンされたと判定された際、ステップＳ２において、入球・入賞信号出力手段２２からの入賞検知信号を受けた抽選手段２５が普通図柄当たりの抽選（例えば、当たり確率１／３０）を実行する。この間、図柄表示装置１０において普通図柄（つまり、それに対応する装飾図柄）が変動表示されている。
【００５７】
引き続き、ステップＳ３では、判定手段４０が、ステップＳ２での普通図柄当たり抽選に当選したか否かを判定する。その結果、当選していなければステップＳ１からの処理を繰り返し、当選した場合には、ステップＳ４に進んで、連荘モード中か否かを判定する。この連荘モードは、後述のステップＳ７及びステップＳ１０において連荘抽選手段２７によって行われ、当選した際には潜伏する形で保持されるモードである。連荘モード抽選での当選結果が潜伏しているのではないかという期待感を持たせるため、遊技中、図柄表示装置１０には、例えば「３-２-１」のような特定の図柄並びが頻繁に表示される。
【００５８】
そして、ステップＳ４において、連荘モードではないと判定された際には、ステップＳ５に進み、連荘モードであると判定された際には、図４に示すステップＳ２２において、連荘抽選手段２７による連荘継続抽選を実行する。更に、同図のステップＳ１９において、連荘継続抽選の結果がどうであるかが判定手段４０によって判定される。その結果、「７７７」に当選したと判定された場合には、ステップＳ２０において、図柄表示制御手段３０が装飾図柄に青色の奇数図柄「７７７」を表示し、更にステップＳ２３において、抽選手段２５が電動チューリップ１６，１７のどちらを開放させるかを抽選によって決定する。なお、上記連荘継続抽選は、４／５の確率で青色の奇数図柄「７７７」が当選し、１／５の確率で赤色の偶数図柄「６６６」が当選するように行われる。
【００５９】
引き続き、ステップＳ２１では、チューリップ作動制御手段２８が、上記ステップＳ２３で決定された開放すべき電動チューリップ１６又は１７を開放させるべく、電動チューリップ作動装置３９の第１左電動チューリップ開閉ソレノイド１６ｂ又は第１右電動チューリップ開閉ソレノイド１７ｂに駆動信号を送信する。これにより、電動チューリップ１６又は１７が所定時間（例えば３．０秒）開放し、同時に、報知制御手段３１によって報知ランプ１６ａ又は１７ａの発光駆動と共に図５（ｂ）又は図５（ｃ）に示す表示によるアシストが行われるため、その間、遊技者は、発射ハンドル９の適時の操作で遊技領域７ａに発射する遊技球のストロークを調整しながら、開放した側の電動チューリップを狙って容易に入賞させることができる（ステップＳ１２）。
【００６０】
そして、ステップＳ１３では、図柄表示制御手段３０が、図柄表示装置１０上で別の普通図柄を変動させるように表示制御している。この際、開放した電動チューリップ１６又は１７に入賞した所定数（例えば５個）の遊技球のうちの４個は記憶され、ステップＳ２２で行われる連荘継続抽選のために保留される。
【００６１】
次いで、ステップＳ１４において、チューリップ作動制御手段２８が、第２電動開閉式チューリップ１２を開放させるべく第２電動チューリップ開閉ソレノイド１２ｂに駆動信号を送信する。これにより、該ソレノイド１２ｂが作動して第２電動開閉式チューリップ１２が６．０秒開放させられ、その間に、最大で１０個を満たすまで入賞が行われ、該入賞が満たされるか所定の時間が経過した時点で、第２電動チューリップ開閉ソレノイド１２ｂへの駆動信号が停止されて、第２電動開閉式チューリップ１２が閉止する。
【００６２】
引き続き、ステップＳ１６では、図柄表示制御手段３０が、図柄表示装置１０上で更に別の普通図柄を変動させるように表示制御している。この際、開放した第２電動開閉式チューリップ１２に入賞した最大で１０個の遊技球のうちの４個は記憶され、ステップＳ２２で行われる連荘継続抽選のために保留される。
【００６３】
次いで、ステップＳ１７において、大入賞口作動制御手段２９が、大入賞口３４を開放させるべく大入賞口開閉ソレノイド３８に駆動信号を送信する。これにより、該ソレノイド３８が作動して大入賞口３４が６．０秒開放させられ、その間に、最大で１０個を満たすまで入賞が行われ（ステップＳ１８）、該入賞が満たされるか所定の時間が経過した時点で大入賞口開閉ソレノイド３８への駆動信号が停止されて大入賞口３４が閉止され、その後、処理はステップＳ１に復帰する。
【００６４】
一方、上述したステップＳ１９において、判定手段４０が「６６６」に当選したと判定した場合には、ステップＳ９において、図柄表示制御手段３０が装飾図柄に赤色の偶数図柄「６６６」を表示し、更にステップＳ２４において、抽選手段２５が電動チューリップ１６，１７のどちらを開放させるかを抽選によって決定する。
【００６５】
更に、ステップＳ１０において、連荘抽選手段２７が連荘モード抽選を実行し、この抽選に当選した場合に、その結果を潜伏表示し、ステップＳ１１に進む。そして、ステップＳ１１では、チューリップ作動制御手段２８が、上記ステップＳ２４で決定された開放すべき電動チューリップ１６又は１７を開放させるべく、第１左電動チューリップ開閉ソレノイド１６ｂ又は第１右電動チューリップ開閉ソレノイド１７ｂに駆動信号を送信する。
【００６６】
これにより、電動チューリップ１６又は１７が３．０秒間開放するため、その間、遊技者による発射ハンドル９の操作で遊技領域７ａに発射されている遊技球が入賞することとなる（ステップＳ１２）。この場合、上述した奇数図柄「７７７」の表示時とは異なり、報知制御手段３１による報知ランプ１６ａ又は１７ａの発光駆動は行われず、しかも図柄表示装置１０には図５（ａ）に示すような実質的な非アシスト情報が表示されるため、開放した側の電動チューリップを狙って遊技球を発射する操作は、奇数図柄「７７７」の表示時に比して困難となる。そして、処理は、上述したステップＳ１２〜Ｓ１８に進むこととなる。
【００６７】
また、上記ステップＳ４で連荘モードではないと判定されて進んだステップＳ５では、抽選手段２５によって単発大当たり抽選が実行され、その結果、単発大当たりに当選した場合には、上記ステップＳ９に進み、これに続くステップＳ２４からの処理を上述したように繰り返し実行する。なお、上記単発大当たり抽選では、単発大当たりが１／１０の確率で当選し、９／１０の確率で外れるように行われる。
【００６８】
一方、上記ステップＳ５において、単発大当たりに外れた場合には、ステップＳ６において、図柄表示制御手段３０が図柄表示装置１０に、装飾図柄として「チェリー図柄」を表示するように信号を送信する。その後、ステップＳ７において、連荘抽選手段２７が連荘モード抽選を実行し、この抽選に当選した場合に、その結果を潜伏表示し、ステップＳ８に進む。そして、ステップＳ８では、チューリップ作動制御手段２８が、予め決められた側の第１右電動開閉式チューリップ１７を開放させるべく、第１右電動チューリップ開閉ソレノイド１７ｂに駆動信号を送信する。しかし、これによる第１右電動開閉式チューリップ１７の開放は極めて僅かな時間である０．１秒に設定されていると共に、図柄表示装置１０には何らのアシスト情報の表示されないため、遊技者が当該開放するチューリップ１７を狙って入賞させることは、ほぼ不可能な状況となる。その後、処理はステップＳ１に復帰することとなる。
【００６９】
以上説明したように、本実施形態のパチンコ機１によると、抽選手段２５及び連荘抽選手段２７からなる開放報知決定手段が、当たり抽選での当選に応じて電動チューリップ１６，１７のうちの何れを開放させるか、及び当該開放させるべき電動チューリップをその開放動作に先立って報知するか否かを決定し、チューリップ作動制御手段２８及び報知制御手段３１からなる制御手段が、開放報知決定手段による決定に応じて、電動チューリップ１６，１７の何れかを開放させる開放動作、及び当該開放動作に先立って報知する報知動作を選択的に実行する。これにより、遊技者はどちらの電動チューリップを狙えば当たり権利発生に伴う当たりを確実に獲得できるかを報知によって容易に認識することができ、従って、当たりを獲得できる側の電動チューリップ１６又は１７に遊技球を効率良く入賞させることで、遊技者の遊技への参加意識及び遊技の興趣を高めて遊技性を向上させることができる。
【００７０】
また、電動チューリップ１６又は１７への入賞に伴って連荘モード抽選及び単発大当たり抽選を行うと共に該連荘モード抽選で当選した場合更に連荘継続抽選を行う連荘抽選手段２７を備え、チューリップ作動制御手段２８及び報知制御手段３１からなる制御手段が、連荘継続抽選の結果に伴い図柄表示装置１０に表示される装飾図柄の種別に応じて開放動作及び報知動作を選択的に実行するので、遊技者は図柄表示装置１０に表示される装飾図柄の違いで、連荘が確定しているか否かを認識できると共に、確定していない場合には次なる連荘継続抽選の結果に期待を寄せつつ遊技を進行させることができる。
【００７１】
更に制御手段が、装飾図柄が青色の奇数図柄「７７７」である場合に電動チューリップ１６，１７の何れかを３．０秒間開放させ且つ当該開放動作に先立って報知するように制御し、装飾図柄が赤色の偶数図柄「６６６」である場合に電動チューリップ１６，１７の何れかを、アシスト無しで３．０秒間開放させるように制御し、装飾図柄がチェリー図柄である場合に電動チューリップ１７を単に０．１秒間のみ開放させるように制御するので、図柄表示装置１０に表示される装飾図柄の違いによって電動チューリップ１６，１７の報知や開放時間に差をつけて、興趣を高めることができる。
【００７２】
また、連荘継続抽選に当選した場合に青色の奇数図柄「７７７」が表示され、連荘継続抽選に外れた場合又は単発大当たり抽選に当選した場合に赤色の偶数図柄「６６６」が表示され、連荘モード抽選に外れ且つ単発大当たり抽選に外れた場合にチェリー図柄が表示されるので、遊技者は図柄表示装置１０に表示される装飾図柄の違いで、その後の遊技の展開を認識することができ、これにより、遊技への期待感と共に興趣を高めて、遊技性を向上させることができる。
【００７３】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００７４】
【図１】本発明の実施形態におけるパチンコ機の外部構造を概略的に示す正面図である。
【図２】本実施形態におけるパチンコ機の制御系を示すブロック図である。
【図３】本実施形態の作用を説明するためのフローチャートである。
【図４】本実施形態の作用を説明するためのフローチャートである。
【図５】本実施形態における図柄表示を模式的に示す図であり、同図（ａ）は左打ち及び右打ちを同時に表示する非アシスト時の表示状態を示し、同図（ｂ）は左打ちを表示するアシスト時の状態を示し、同図（ｃ）は右打ちを表示するアシスト時の状態を示している。
【符号の説明】
【００７５】
１：パチンコ機（遊技機）
７ａ：遊技領域
１０：図柄表示装置
１２：第２電動チューリップ（第２電動開閉式入賞口）
１６：第１左電動チューリップ（第１電動開閉式入賞口）
１７：第１右電動チューリップ（第１電動開閉式入賞口）
２５：抽選手段（開放報知決定手段）
２７：連荘抽選手段（開放報知決定手段）
２８：チューリップ作動制御手段（制御手段）
３１：報知制御手段（制御手段）
３４：大入賞口（第３電動開閉式入賞口）
【図１】
2006055425.tif 000003
【図２】
2006055425.tif 000004
【図３】
2006055425.tif 000005
【図４】
2006055425.tif 000006
【図５】
2006055425.tif 000007